(57)【要約】      （修正有）【課題】簡易な構造で、収納性に優れた調理用具スタンドを提供する。【解決手段】調理用具スタンドは、底面が開口し、上板１１、左右側板１２、及び前後側板１３とからなる箱形状であり、上板１１中央に左右方向に左右側板上端まで長尺に切り欠いた上板切欠き１１ｃと、上板切欠き１１ｃと繋がり、左右側板１２それぞれの上端から底部に向かって長尺凹状に切り欠いた一対の側板切欠き１２ｃとによって形成された切欠き凹部１０ｃを有する、調理用具スタンド本体１０を備える。調理用具スタンドは、調理用具スタンド本体１０の底部に着脱自在に被着される蓋部材２０を更に備えることができる。蓋部材２０は、上板部２１と、上板部２１に対して垂直に立設した一対の側板部２３と、上板部２２に対して傾斜して開いた一対の斜板部２２とから形成されている。【選択図】図２
0003186115.tif 000002
【実用新案登録請求の範囲】
【請求項１】
底面が開口し、上板、左右側板及び前後側板からなる箱形状であり、
前記上板中央に左右方向に前記左右側板上端まで長尺に切り欠いた上板切欠きと、前記上板切欠きと繋がり、前記左右側板それぞれの上端から底部に向かって長尺凹状に切り欠いた一対の側板切欠きと、によって形成された切欠き凹部を有し、該切欠き凹部に調理用具を載置する、調理用具スタンド本体を備えることを特徴とする調理用具スタンド。
【請求項２】
前記側板切欠きは、前記上板から前記底部に向かって傾斜する第１斜辺と、
前記第１斜辺と対向し前記上板から前記底部に向かって傾斜する第２斜辺と、
前記第１斜辺と前記第２斜辺とを繋ぐ第３斜辺とで形成されている請求項１に記載の調理用具スタンド。
【請求項３】
前記第１斜辺及び前記第２斜辺と前記底面とのなす角度は７５°〜８５°であり、前記第３斜辺と前記底面とのなす角度は、１５°〜２５°である請求項２に記載の調理用具スタンド。
【請求項４】
前記前後側板の少なくとも一方には、調理用具を遊挿するための孔部を有する請求項１乃至３のうちのいずれか１項に記載の調理用具スタンド。
【請求項５】
硬質樹脂で一体に形成されている請求項１乃至４のうちのいずれか１項に記載の調理用具スタンド。
【請求項６】
前記硬質樹脂は、ＡＢＳ樹脂である請求項５に記載の調理用具スタンド。
【請求項７】
前記底部に着脱自在に被着される蓋部材を更に備える請求項１乃至６のうちのいずれか１項に記載の調理用具スタンド。
【請求項８】
前記蓋部材は、上板部と、該上板部に対して垂直に立設した一対の側板部と、前記上板部に対して傾斜して開いた一対の斜板部とから形成されている請求項７に記載の調理用具スタンド。
【請求項９】
前記側板部の少なくとも一方の上部に切欠き凹部を備えた請求項８に記載の調理用具スタンド。
【請求項１０】
前記上板部の上面が、凹設して形成された凹設部を有する請求項８又は９に記載の調理用具スタンド。
【請求項１１】
前記蓋部材が、弾性変形可能な軟質材で一体に形成されている請求項７乃至１０のうちのいずれか１項に記載の調理用具スタンド。
【請求項１２】
前記軟質材は、熱可塑性エラストマーである請求項１１に記載の調理用具スタンド。
【考案の詳細な説明】
【技術分野】
【０００１】
本考案は、調理用具スタンドに関する。更に詳しくは、簡易な構造で、収納性に優れた調理用具スタンドに関する。
【背景技術】
【０００２】
従来、調理用具は、調理に際して、調理台の周辺に置いて使用することになるが、調理台には、具材、調味料なども置く必要があり、手狭になることが多い。
特に鍋は、調理中に、或いは食事中に、時々開閉が必要なものであり、開いた状態を維持したい場合に、鍋蓋を適当な場所に載置しておく必要が生ずる。このような場合、鍋蓋面を上向き又は下向きにして載置しようとすると、平面的に大きなスペースをとるため、置き場所に困ることになる。
【０００３】
ここで、調理用具の置き場所に工夫した調理用具立てに係る考案が開示されている（例えば、特許文献１参照。）。
特許文献１に記載の調理用具立ては、受皿と、その上部に水平状態で間隔をおいて配置された少なくとも２以上のリング部材と、これら受皿及び２以上のリング部材を支持する連結部材と、連結部材に設けられた支持バーからなる。
この調理用具立てによれば、厨房上部の空間を利用して、調理用具を収納することができる。
【先行技術文献】
【特許文献】
【０００４】
【特許文献１】実開平６−６２９５３号公報
【考案の概要】
【考案が解決しようとする課題】
【０００５】
しかし、この特許文献１に記載の調理用具立ては、構造が複雑で、取り付けるための部材を設置する必要がある。更に鍋蓋のような広い面積を必要とする調理用具の載置には、適していない。
本考案は、前記の課題を解決するものであり、簡易な構造で、収納性に優れた調理用具スタンドを提供することを目的とする。
【課題を解決するための手段】
【０００６】
前記課題を解決するために本考案は、以下の通りである。
１．底面が開口し、上板、左右側板及び前後側板からなる箱形状であり、
前記上板中央に左右方向に前記左右側板上端まで長尺に切り欠いた上板切欠きと、前記上板切欠きと繋がり、前記左右側板それぞれの上端から底部に向かって長尺凹状に切り欠いた一対の側板切欠きと、によって形成された切欠き凹部を有し、該切欠き凹部に調理用具を載置する、調理用具スタンド本体を備えることを特徴とする調理用具スタンド。
２．前記側板切欠きは、前記上板から底部に向かって傾斜する第１斜辺と、
該第１斜辺と対向し前記上板から底部に向かって傾斜する第２斜辺と、
前記第１斜辺と第２斜辺とを繋ぐ第３斜辺とで形成されている１．に記載の調理用具スタンド。
３．前記第１斜辺及び前記第２斜辺と前記底面とのなす角度は７５°〜８５°であり、前記第３斜辺と前記底面とのなす角度は、１５°〜２５°である請求項２に記載の調理用具スタンド。
４．前記前後側板の少なくとも一方には、調理用具を遊挿するための孔部を有する１．乃至３．のうちのいずれか１項に記載の調理用具スタンド。
５．硬質樹脂で一体に形成されている１．乃至４．のうちのいずれか１項に記載の調理用具スタンド。
６．前記硬質樹脂は、ＡＢＳ樹脂である５．に記載の調理用具スタンド。
７．前記底部に着脱自在に被着される蓋部材を更に備える１．乃至６．のうちのいずれか１項に記載の調理用具スタンド。
８．前記蓋部材は、上板部と該上板部に対して垂直に立設した一対の側板部と、前記上板部に対して傾斜して開いた一対の斜板部とから形成されている７．に記載の調理用具スタンド。
９．前記側板部の少なくとも一方の上部に切欠き凹部を備えた８．に記載の調理用具スタンド。
１０．前記上板部の上面が、凹設して形成された凹設部を有する８．又は９．に記載の調理用具スタンド。
１１．前記蓋部材が、弾性変形可能な軟質材で一体に形成されている７．乃至１０．のうちのいずれか１項に記載の調理用具スタンド。
１２．前記軟質材は、熱可塑性エラストマーである１１．に記載の調理用具スタンド。
【考案の効果】
【０００７】
１．本考案の調理用具スタンドは、その本体が、底面が開口した箱形状であり、上板切欠きと、長尺凹状に切り欠いた一対の側板切欠きと、によって形成された切欠き凹部を有し、切欠き凹部に調理用具を載置するものであるため、簡易な構造で、収納性に優れている。
２．側板切欠きが、上板から底部に向かって傾斜する第１斜辺と、第１斜辺と対向し上板から底部に向かって傾斜する第２斜辺と、第１斜辺と第２斜辺とを繋ぐ第３斜辺とで形成されている場合には、調理用具としての鍋蓋を立設して載置できるため、場所をとらず、調理台を広く確保することができる。
３．第１斜辺及び第２斜辺と底面とのなす角度が７５°〜８５°であり、第３斜辺と底面とのなす角度は、１５°〜２５°である場合には、特に安定的に鍋蓋を載置することができ、美観にも優れたものとなる。
４．前後側板の少なくとも一方には、調理用具を遊挿するための孔部を有する場合には、この孔部に、例えば菜箸を挿着することができる。
５．硬質樹脂で一体に形成されている場合には、射出成形等で効率的に製作することができる。
６．硬質樹脂がＡＢＳ樹脂である場合には、成形性がよく、美観に優れ、強度、耐衝撃性にも優れているため、調理用具スタンドとして好適に使用できる。
７．底部に着脱自在に被着される蓋部材を更に備えている場合には、調理用具スタンドと組み合わせることで更に多種多様な使用をすることができる。
８．蓋部材が、上板部と、上板部に対して垂直に立設した一対の側板部と、上板部に対して傾斜して開いた一対の斜板部とから形成されている場合には、例えば、斜板部内側が調理汁の受け皿として機能する。
９．側板部の少なくとも一方の上部に切欠き凹部を備えている場合には、この切欠き凹部に、例えば調理用具の柄の部分を載置することができる。
１０．上板部の上面が、凹設して形成された凹設部を有する場合には、凹設部に、例えば調理汁の付着したスプーンを載置した場合、調理汁が垂れるのを防ぐことができる。
１１．蓋部材が、弾性変形可能な軟質材で一体に形成されている場合には、調理用具スタンド本体の下部に挿着することで、調理用具スタンド本体が損傷するのを防ぐと共に、調理台との摩擦力を大きくして載置することができる。
１２．軟質材が、熱可塑性エラストマーである場合には、加工処理が容易であり、多種多様の着色をする上で優れている。
【図面の簡単な説明】
【０００８】
【図１】本考案に係る調理用具スタンドの斜視図である。
【図２】本考案に係る調理用具スタンドの分解斜視図である。
【図３】本考案に係る調理用具スタンドの蓋部材の斜視図ある。
【図４】本考案に係る調理用具スタンド本体の側面図である。
【図５】本考案に係る調理用具スタンドの使用状態の例を示す斜視図である。
【図６】本考案に係る調理用具スタンドの使用状態の例を示す斜視図である。
【図７】本考案に係る調理用具スタンドの使用状態の例を示す斜視図である。
【図８】本考案に係る調理用具スタンドの使用状態の例を示す斜視図である。
【図９】本考案に係る調理用具スタンドの使用状態の例を示す斜視図である。
【図１０】本考案に係る調理用具スタンドの使用状態の例を示す斜視図である。
【図１１】本考案に係る調理用具スタンドの使用状態の例を示す斜視図である。
【図１２】本考案に係る調理用具スタンドの使用状態の例を示す斜視図である。
【考案を実施するための形態】
【０００９】
以下、本考案の実施形態を示す図１〜１２を参照しながら本考案を詳しく説明する。
尚、本考案は、かかる図に記載された具体例に示すものに限られず、目的、用途に応じて種々変更したものとすることができる。
【００１０】
本考案の実施形態に係る調理用具スタンド１は、図１に示すように、調理用具スタンド本体１０と蓋部材２０とからなる。調理用具スタンド本体１０は、図２に示すように、蓋部材２０から分離して、そのままでも調理用具スタンドとして機能する。
調理用具スタンド本体１０は、図２に示すように、底面が開口し、上板１１、左右側板１２、及び前後側板１３とからなる箱形状であり、上板１１中央に左右方向に左右側板１２の上端まで長尺に切り欠いた上板切欠き１１ｃと、上板切欠き１１ｃと繋がり、左右側板１２それぞれの上端から底面に向かって長尺凹状に切り欠いた一対の側板切欠き１２ｃとによって形成された切欠き凹部１０ｃを有する。
前記切欠き凹部１０ｃは、左右側板１２それぞれの上端から底面に向かって、長尺凹状に切り欠き形成されていれば、その形状は特に限定されない。
【００１１】
側板切欠き１２ｃが、図４に示すように上板から底面に向かって傾斜する第１斜辺１２ｌ、第１斜辺と対向し上板から底部に向かって傾斜する第２斜辺１２ｍと、第１斜辺１２ｌと第２斜辺１２ｍとを繋ぐ第３斜辺１２ｎとで形成されている場合には、特に調理用具としての鍋蓋を立設載置しやすく、場所をとらず、調理台を広く確保することができる。
【００１２】
図４に示すように、第１斜辺１２ｌ及び第２斜辺１２ｍと底面とのなす角度が７５°〜８５°であり、第３斜辺１２ｎと底面とのなす角度が、１５°〜２５°であることが好ましい。
こうすることで、図５に示すように、特に極めて安定的に鍋蓋３０を載置することができ、美観にも優れたものとなる。
【００１３】
図２に示すように、前後側板１３の少なくとも一方には、調理用具を遊挿するための孔部１３ｈを有することが好ましい。
こうすることで、例えば図６に示すように、この孔部に、菜箸４０を挿着することができる。図２に示すように、孔部１３ｈは、前側板のみに設けてもよく、対向する後側板のみに設けてもよい。更に、前後側板両方に設けることもできる。
【００１４】
調理用具スタンド本体１０の材質は特に限定されず、金属製、木製、樹脂製とすることができ、更に、上板、左右側板、前後側板を別々に製作したのち、接合して組み立てることもできるが、硬質樹脂で一体に形成することが好ましい。こうすることで、射出成形等で効率的に製作することができる。
更に、硬質樹脂がＡＢＳ樹脂である場合には、成形性がよく、美観に優れ、強度、耐衝撃性にも優れているため、調理用具スタンド本体１０として好適に使用できる。
【００１５】
図１に示すように、調理用具スタンド１は、調理用具スタンド本体１０の底部に着脱自在に被着される蓋部材２０を更に備えことができる。蓋部材２０を備えている場合には、調理用具スタンド本体１０と組み合わせることで、以下に示すように、多種多様な使用をすることができる。
【００１６】
蓋部材２０は、上板部２１と、上板部２１に対して垂直に立設した一対の側板部２３と、上板部２１に対して傾斜して開いた一対の斜板部２２とから形成されていることが好ましい。
蓋部材２０の材質は特に限定されないが、弾性変形可能な軟質材で一体に形成されていることが好ましい。こうであれば、調理用具スタンド本体１０の下部に挿着することで、調理用具スタンド本体１０が損傷するのを防ぐと共に、調理台との摩擦力を大きくして滑るのを防止することができる。更に軟質材が、熱可塑性エラストマーであることが好ましい。熱可塑性エラストマーであれば、加工処理が容易であり、多種多様の着色をする上で優れている。
【００１７】
蓋部材２０は、垂直に立設した一対の側板部２３を備えることで、調理用具スタンド本体１０の前後側板１３に対して当接固定され、安定することができる。
そして、斜板部２２を備えることで、図６に示すように、調理用具スタンド本体１０の左右側板１２と斜板部２２によって形成される隙間２０ｃが、鍋蓋３０に付着した調理汁の受け皿としての役割を果たすことができる。
【００１８】
図２に示すように、蓋部材２０が、側板部２３の少なくとも一方の上部に切欠き凹部２３ｃを備えていることが好ましい。
こうすることで、例えば図７に示すように、しゃもじ５０の柄を載置する上で有用である。
【００１９】
図３に示すように、上板部２１の上面が、凹設して形成された凹設部２１ｃを有することが好ましい。
こうすることで、例えば図８に示すように、凹設部２１ｃに例えば調理汁の付着した味見用のスプーンを載置した場合、調理汁が調理台に垂れるを防ぐことができる。
なお、孔部１３ｈに菜箸４０を収納することもでき、狭い調理台のスペースを有効に利用することもできる。
【００２０】
また、図９に示すように、調理用具スタンド本体１０の底部を上にして蓋部材２０に挿着し、菜箸４０と、しゃもじ５０を一緒に収納することもできる。
【００２１】
更に、図１０に示すように、置き場に困る、洗った後のペットボトルや調味料のフタ７１、７２、７３、７４を、凹設された上板部２１上で、斜板部２２を延設した側端縁２２ａに斜めに立て掛けておくことで、水を確実に切ることができ、清潔に乾燥することができる。
なお、図１０に示す、調理用具スタンド本体１０と蓋部材２０の組み合わせが、家と、その屋根をイメージし、更に孔部１３ｈが窓をイメージすることができる。
そして、フタ７１、７２、７３、７４が屋根の屋上に集まって話をしているようで、全体として可愛い雰囲気を醸し出している。
このように、本考案の調理用具スタンドは、意匠的にも優れた効果を発揮する。
【００２２】
更に、図１１に示すように、食卓に普段使う調味料８１、８２、８３を屋根に乗せて、家の中には爪楊枝をケースごと入れておくことができる。
屋根をイメージする蓋部材２０の上板部２１は、側端縁２３ａ、側端縁２２ａによって凹設部２１ｃを形成しているため、調味料８１、８２、８３が屋根から滑落するおそれがない。また、爪楊枝ケースは、そのままでは見栄えがしないので、家（ガレージ）をイメージした調理用具スタンド本体１０に収納することで、かわいく目隠ししている雰囲気を醸し出している。
【００２３】
また、図１２に示すように、例えばレシピ本９５を切欠き凹部１０ｃに挿着して参照することにより、調理に役立てることもできる。
【符号の説明】
【００２４】
１；調理用具スタンド、１０；調理用具スタンド本体、１０ｃ；切欠き凹部、１１；上板、１１ｃ；上板切欠き、１２；左右側板、１２ｃ；側板切欠き、１２ｌ；第１斜辺、１２ｍ；第２斜辺、１２ｎ；第３斜辺、１３；前後側板、１３ｈ；孔部、２０；蓋部材、２１；上板部、２１ｃ；凹設部、２２；斜板部、２３；側板部、２３ｃ；切欠き凹部、
【図１】
0003186115.tif 000003
【図２】
0003186115.tif 000004
【図３】
0003186115.tif 000005
【図４】
0003186115.tif 000006
【図５】
0003186115.tif 000007
【図６】
0003186115.tif 000008
【図７】
0003186115.tif 000009
【図８】
0003186115.tif 000010
【図９】
0003186115.tif 000011
【図１０】
0003186115.tif 000012
【図１１】
0003186115.tif 000013
【図１２】
0003186115.tif 000014